【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
発光素子と、
並列に電気的に接続された第１の駆動用トランジスタ及び第２の駆動用トランジスタとを有し、
前記第１の駆動用トランジスタは、第１のスイッチング用トランジスタを介して前記発光素子に電気的に接続され、
前記第２の駆動用トランジスタは、第２のスイッチング用トランジスタを介して前記発光素子に電気的に接続されることを特徴とする表示装置。
【請求項２】
発光素子と、
並列に電気的に接続された第１の駆動用トランジスタ及び第２の駆動用トランジスタとを有し、
前記第１の駆動用トランジスタは、第１のスイッチング用トランジスタを介して前記発光素子に電気的に接続され、
前記第２の駆動用トランジスタは、第２のスイッチング用トランジスタを介して前記発光素子に電気的に接続され、
前記第１の駆動用トランジスタに電気的に接続され、且つ信号線に電気的に接続された第３のスイッチング用トランジスタと、
前記第２の駆動用トランジスタに電気的に接続され、且つ前記信号線に電気的に接続された第４のスイッチング用トランジスタと、を有することを特徴とする表示装置。
【請求項３】
発光素子と、
並列に電気的に接続された第１の駆動用トランジスタ及び第２の駆動用トランジスタとを有し、
前記第１の駆動用トランジスタは、第１のスイッチング用トランジスタを介して前記発光素子に電気的に接続され、
前記第２の駆動用トランジスタは、第２のスイッチング用トランジスタを介して前記発光素子に電気的に接続され、
前記第１の駆動用トランジスタに電気的に接続され、且つ第１の信号線に電気的に接続された第３のスイッチング用トランジスタと、
前記第２の駆動用トランジスタに電気的に接続され、且つ第２の信号線に電気的に接続された第４のスイッチング用トランジスタと、を有することを特徴とする表示装置。
【請求項４】
発光素子と、
並列に電気的に接続された第１の駆動用トランジスタ、第２の駆動用トランジスタ、及び第３の駆動用トランジスタと、
前記第１の駆動用トランジスタに電気的に接続され、且つ第１の信号線に電気的に接続された第１のスイッチング用トランジスタと、
前記第２の駆動用トランジスタに電気的に接続され、且つ第２の信号線に電気的に接続された第２のスイッチング用トランジスタと、
前記第３の駆動用トランジスタに電気的に接続され、且つ第３の信号線に電気的に接続された第３のスイッチング用トランジスタとを有し、
前記第１の駆動用トランジスタは第１の電源供給線と電気的に接続され、
前記第２の駆動用トランジスタは第２の電源供給線と電気的に接続され、
前記第３の駆動用トランジスタは第３の電源供給線と電気的に接続されることを特徴とする表示装置。
【請求項５】
発光素子と、
並列に電気的に接続された第１の駆動用トランジスタ、第２の駆動用トランジスタ、及び第３の駆動用トランジスタと、
前記第１の駆動用トランジスタに接続され、且つ信号線に接続された第１のスイッチング用トランジスタと、
前記第２の駆動用トランジスタに接続され、且つ前記信号線に接続された第２のスイッチング用トランジスタと、
前記第３の駆動用トランジスタに接続され、且つ前記信号線に接続された第３のスイッチング用トランジスタとを有し、
前記第１の駆動用トランジスタは第１の電源供給線と電気的に接続され、
前記第２の駆動用トランジスタは第２の電源供給線と電気的に接続され、
前記第３の駆動用トランジスタは第３の電源供給線と電気的に接続されることを特徴とする表示装置。
【請求項６】
請求項２乃至請求項５のいずれか一において、前記信号線はソース信号線であることを特徴とする表示装置。
【請求項７】
発光素子と、
並列に電気的に接続された第１の駆動用トランジスタ及び第２の駆動用トランジスタとを有し、
前記第１の駆動用トランジスタは、第１のスイッチング用トランジスタを介して前記発光素子に電気的に接続され、
前記第２の駆動用トランジスタは、第２のスイッチング用トランジスタを介して前記発光素子に電気的に接続され、
第１のサブフレーム期間で、前記第１のスイッチング用トランジスタがオンすることで、前記第１の駆動用トランジスタによって前記発光素子の発光、非発光が選択され、
前記第１のサブフレーム期間後に第２のサブフレーム期間で、前記第２のスイッチングトランジスタがオンすることで、前記第２の駆動用トランジスタによって前記発光素子の発光、非発光が選択されることを特徴とする表示装置の駆動方法。
【請求項８】
発光素子と、
並列に電気的に接続された第１の駆動用トランジスタ及び第２の駆動用トランジスタとを有し、
前記第１の駆動用トランジスタは、第１のスイッチング用トランジスタを介して前記発光素子に電気的に接続され、
前記第２の駆動用トランジスタは、第２のスイッチング用トランジスタを介して前記発光素子に電気的に接続され、
第１のサブフレーム期間で、前記第１のスイッチング用トランジスタがオンすることで、前記第１の駆動用トランジスタによって前記発光素子の発光、非発光が選択され、
前記第１のサブフレーム期間後に第２のサブフレーム期間で、前記第２のスイッチングトランジスタがオンすることで、前記第２の駆動用トランジスタによって前記発光素子の発光、非発光が選択され、
前記第１のサブフレーム期間と前記第２のサブフレーム期間との比は１：２となることを特徴とする表示装置の駆動方法。
【手続補正２】
【補正対象書類名】明細書
【補正対象項目名】００２８
【補正方法】変更
【補正の内容】
【００２８】
ゲート走査線１１０及び１１１が順に選択され、ソース信号線１１２からスイッチング用ＴＦＴ１０１及び１０４を介して、Ｌレベル又はＨレベルの信号が駆動用ＴＦＴ１０３及び１０６のゲート端子に入力される。駆動用ＴＦＴ１０３及び１０６のゲート端子に、Ｌレベルの信号が入力されると駆動用ＴＦＴ１０３及び１０６はオンとなる。このとき、ゲート信号線１０８にＨレベルが書き込まれ、ゲート信号線１０９にはＬレベルが書き込まれて、それぞれスイッチング用ＴＦＴ１０２、１０５のゲート端子に入力されると、スイッチング用ＴＦＴ１０１又は１０４を介して、駆動用ＴＦＴのゲート端子にＬレベルの信号が入力された場合、かつ、スイッチング用ＴＦＴ１０２または１０５のゲート端子にＬレベルが入力されたとき、発光素子１０７は発光する。つまり、ＳＦ１期間では、スイッチング用ＴＦＴ１０５のゲート端子にＬレベルが入力されているので、スイッチング用ＴＦＴ１０４を介してソース信号線１１２からＬレベルの信号が入力されたとき、発光素子１０７は発光する。
【手続補正３】
【補正対象書類名】明細書
【補正対象項目名】００２９
【補正方法】変更
【補正の内容】
【００２９】
次に、ゲート信号線１０８にＬレベルが書き込まれ、ゲート信号線１０９にＨレベルが書き込まれて、スイッチング用ＴＦＴ１０２、１０５のゲート端子に入力されると、スイッチング用ＴＦＴ１０１又は１０４を介して、駆動用ＴＦＴのゲート端子にＬレベルの信号が入力された場合、かつ、スイッチング用ＴＦＴ１０２または１０５のゲート端子にＬレベルが入力されたとき、発光素子１０７は発光する。つまり、ＳＦ２期間では、スイッチング用ＴＦＴ１０２のゲート端子にＬレベルが入力されているので、スイッチング用ＴＦＴ１０１を介してソース信号線１１２からＬレベルの信号が入力されたとき、発光素子１０７は発光する。